(57)【特許請求の範囲】
【請求項１】
ランプの発光管をこの発光管から離間して覆う透光性を有するパイプと；
パイプの内周面に密着する外周面部及びランプの外周部に対向する内周面部を備えた筒状の本体部と、本体部の内周面部から突設されランプの口金部より径寸法の大きいランプの発光管の外周部に外周面部とパイプの内周面とが密着する面積より小さい面積で密着する内側突部と、この内側突部に対応し本体部の厚さ方向に対して内側突部の反対側の外周面部の一部に位置し、本体部のランプの発光管が挿入される側の端部に向かって深さが深くなるように傾斜して内周側に凹設された外側凹部とを備え、パイプの両端部に取り付けられ弾性変形可能に形成されたキャップと；
を具備していることを特徴とするランプ被覆装置。
【請求項２】
対をなすソケットを備えた器具本体と；
ソケット間に取り付けられる直管形の蛍光ランプであるランプと；
ランプを覆う請求項１記載のランプ被覆装置と；
を具備していることを特徴とする照明装置。
【発明の詳細な説明】
【０００１】
【発明の属する技術分野】
本発明は、ランプを覆うランプ被覆装置及びランプ被覆装置を備えた照明装置に関する。
【０００２】
【従来の技術】
従来、例えば、直管形の蛍光ランプを透光性を有するパイプで覆って保温や防水を図った構成が知られている。そして、このような構成において、単なる円筒状のパイプの内側に蛍光ランプを挿入する構成では、パイプと蛍光ランプとの間に隙間があり、これらパイプと蛍光ランプとの位置が固定されず、パイプに挿入した蛍光ランプを照明器具に着脱する作業が煩雑になる問題を有している。
【０００３】
この点、例えばＷＯ００／６８６１３号明細書に示されるように、パイプの両端部に弾性体を素材とする筒状のキャップを装着し、パイプと蛍光ランプとを位置決めする構成が知られている。この構成では、キャップは、パイプの内周部と蛍光ランプの口金部の外周部との間に嵌合するとともに、一部はパイプの外形より外周側に突出するようになっている。
【０００４】
【発明が解決しようとする課題】
上記従来のように、キャップが蛍光ランプの口金部に嵌合する構成では、予めキャップを装着したパイプに蛍光ランプを挿入すると、蛍光ランプがキャップを押圧し、キャップが所定の位置から外れてしまう問題を有している。また、防水性を高めるために、筒状のキャップ部を備えた防水ソケットを用いる場合があるが、キャップがパイプの外周側に突出する構成では、このキャップが当接して、蛍光ランプを防水ソケットに装着できない場合がある問題を有している。
【０００５】
本発明は、このような点に鑑みなされたもので、作業性良くランプに装着できるランプ被覆装置及びランプ被覆装置を備えた照明装置を提供することを目的とする。
【０００６】
【課題を解決するための手段】
請求項１記載のランプ被覆装置は、ランプの発光管をこの発光管から離間して覆う透光性を有するパイプと；パイプの内周面に密着する外周面部及びランプの外周部に対向する内周面部を備えた筒状の本体部と、本体部の内周面部から突設されランプの口金部より径寸法の大きいランプの発光管の外周部に外周面部とパイプの内周面とが密着する面積より小さい面積で密着する内側突部と、この内側突部に対応し本体部の厚さ方向に対して内側突部の反対側の外周面部の一部に位置し、本体部のランプの発光管が挿入される側の端部に向かって深さが深くなるように傾斜して内周側に凹設された外側凹部とを備え、パイプの両端部に取り付けられ弾性変形可能に形成されたキャップと；を具備しているものである。
【０００７】
そして、この構成では、キャップは、本体部の内周面部から突設した内側突部が、口金部より径寸法の大きい発光管の外周部に当接するため、キャップとランプとの摩擦抵抗よりもキャップとパイプとの摩擦抵抗が大きくなるとともに、キャップがランプに引っ掛かりにくくなり、キャップをパイプの所定位置に保持したまま、パイプ内にランプを挿入することが可能になり、ランプを脱着する作業性が向上する。キャップは、弾性変形可能に形成されるとともに、内側突部に対応し本体部の厚さ方向に対して内側突部の反対側の外周面部の一部に位置し、本体部のランプの発光管が挿入される側の端部に向かって深さが深くなるように傾斜して内周側に凹設された外側凹部を備え、キャップとパイプとの間の一部に空間が形成されるため、ランプがキャップに当接した際に、キャップが容易に変形して摩擦抵抗を軽減し、ランプを脱着する作業性が向上する。
【０００８】
なお、例えば、ランプは、直管形の蛍光ランプであり、パイプは、直管状の円筒状のポリカーボネート製であり、キャップは、弾性変形可能なシリコン製である。また、内側突部は、例えば、周方向の全周に連続する円環状に形成される。
【０００９】
請求項２記載の照明装置は、対をなすソケットを備えた器具本体と；ソケット間に取り付けられる直管形の蛍光ランプであるランプと；ランプを覆う請求項１記載のランプ被覆装置と；を具備しているものである。
【００１０】
そして、この構成では、請求項１記載のランプ被覆装置を備えたため、ランプ被覆装置をランプに脱着する作業性が向上する。
【００１１】
【発明の実施の形態】
以下、本発明のランプ被覆装置の一実施の形態を図面を参照して説明する。
【００１２】
図１は本発明のランプ被覆装置の一実施の形態を示す照明装置の一部を切り欠いて拡大した側面図であり、図２は同上照明装置の一部を切り欠いた斜視図であり、図３は同上照明装置の一部を切り欠いた側面図であり、図４は同上キャップの斜視図である。
【００１３】
図において、11は照明装置で、この照明装置11は、器具本体12と、この器具本体12に取り付けられるランプFL及びランプ被覆装置15を備えている。そして器具本体12は、天井面などの被設置部に取り付けられるシャーシ16と、このシャーシ16に収納されたインバータ回路や口金台などの電気部品と、シャーシ16の両端部に取り付けられた一対のソケット18とを備えている。また、これらソケット18は、防湿あるいは防雨などの機能を有する防水用ランプソケットすなわちいわゆる防水ソケットで、シャーシ16に固定されるソケット本体19と、このソケット本体19にねじ込みなどして取り付けられる円筒状のキャップ部20と、これらソケット本体19とキャップ部20との間に挟まれるゴムパッキング及びスリップリングなどを備えている。また、ランプFLは、２５mm径あるいは３２mm径などの一般的な直管形の蛍光ランプであり、直管状のガラス管である発光管22と、この発光管22の両端部に位置する金属製の口金部23とを備えている。そして、各口金部23は、発光管22より径寸法が若干小さく形成されているとともに、両端部から一対の口金ピン24が突設されている。
【００１４】
そして、ランプ被覆装置15は、蛍光灯被覆装置とも呼びうるもので、パイプ31と、このパイプ31の両端部に取り付けられた一対のキャップ33とを備えている。そして、パイプ31は、チューブとも呼ばれるもので、透光性を有する素材、例えば、透明なポリカーボネート製で内側にランプFLを収納可能な円筒状に形成されている。そして、このパイプ31の内径寸法は、ランプFLの外径寸法すなわち発光管22の外形寸法よりも大きくなるように形成されている。また、キャップ33は、パッキンあるいはパイプキャップとも呼ばれるもので、弾性変形可能な素材、例えば、シリコンにより、円筒状をなす本体部35を含む全体が一体に形成されている。そして、本体部35の内周面部35aからは、軸方向に沿った一端部近傍から、内周側に向かい、断面半円状の内側突部36が周方向に連続してすなわち全周に円環状をなして突設されている。また、本体部35の外周面部35bには、軸方向に沿った一端部から、周方向に断続的に複数箇所に、本実施の形態では５カ所に、内周側に向かって凹設された外側凹部38が形成されている。また、各外側凹部38は、内側突部36に対応する位置、すなわち、本体部35の厚さ方向に対して内側突部36の反対側に位置して配置され、本体部35の一端部に向かって深さが深くなるように傾斜して矩形状に切り欠かれている。さらに、外周面部35bの他端部からは、外周側に向かい、係止突部39が周方向に連続してすなわち全周に円環状をなして突設されている。また、この係止突部39の突出寸法は、パイプ31の厚さ寸法と同等か、このパイプ31の厚さ寸法より小さく形成されている。
【００１５】
そして、このランプ被覆装置15は、パイプ31の両端部の内側にキャップ33を圧入し、係止突部39をパイプ31の端面に当接して位置決めするとともに、外周面部35bをパイプ31の内側に面状に密着させた状態で構成される。
【００１６】
そして、このように形成されたランプ被覆装置15のいずれかの開口からランプFLを挿入することにより、両端のキャップ33の内側突部36が発光管22に線状に当接し、発光管22に全周同様の所定の間隔でパイプ31が対向する状態で、ランプFLとランプ被覆装置15とが組み合わされる。
【００１７】
そして、このランプ被覆装置15を組み合わせたランプFLを、相対向するソケット18のソケット本体19間に装着し、キャップ部20を締め付けることにより、器具本体12にランプFL及びランプ被覆装置15が取り付けられる。
【００１８】
この状態で、ランプFLがパイプ31及びソケット18により略液密に覆われ、防水すなわち防湿及び防雨の効果を奏するとともに、外気や空調の風が直接にランプFLに当たらず、保温の効果を奏する。
【００１９】
そして、本実施の形態によれば、キャップ33は、パイプ31の内側に圧入されて外周面部35bがパイプ31の内面に面状に密着して強固に取り付けられるとともに、内周面部35aから突設した内側突部36のみが線状にランプFLの発光管22に密着するため、ランプFLとキャップ33との摩擦抵抗よりも、パイプ31とキャップ33との摩擦抵抗の方が大きくなるとともに、キャップ33がランプFLに引っ掛かることがない。そこで、キャップ33を取り付けたパイプ31にランプFLを挿入する際に、ランプFLがキャップ33に対して円滑に摺動するとともに、キャップ33の位置がずれたり外れたりすることを抑制でき、ランプFLの脱着の作業性を向上できる。
【００２０】
また、キャップ33は、内側突部36を、周方向の全周に連続する円環状の突起として形成したため、キャップ33とランプFLとの接触面を小さくし摩擦抵抗を小さくして、ランプFLの脱着の作業性を向上できるとともに、ランプFLを安定して支持することができる。
【００２１】
さらに、キャップ33は、本体部35の一部を薄く形成し、外周面部35bに外側凹部38を形成して、パイプ31へ装着した状態で、このキャップ33とパイプ31との間の一部に空間を設けたため、ランプFLを装着する際に、このランプFLがキャップ33側に圧接された状態で、この空間がいわば逃げとなって、キャップ33が容易に変形し、ランプFLとキャップ33との摩擦抵抗を軽減できる。そこで、キャップ33の位置がずれたり外れたりすることを抑制でき、ランプFLの脱着の作業性を向上できる。すなわち、ランプとキャップとの摩擦抵抗が大きい構成では、ランプの挿入時に、このランプに引っ張られてキャップが外れやすく、また、キャップが口金部に当接する構成では、ランプの挿入時に、口金部より径寸法の大きい発光管がキャップに当接してキャップが外れやすい。
【００２２】
また、軸方向に沿ったキャップ33の長さ寸法は、ランプFLの口金部23の長さ寸法よりも小さくすることにより、ランプFLの端部からキャップ33が突出しにくくなり、ランプFLのソケット18への装着を容易に確実にできる。
【００２３】
なお、上記の実施の形態では、キャップ33の端部に係止突部39を設けたが、この係止突部39は省略することもできる。
【００２４】
また、キャップ33とパイプ31との間に空間部を形成する構成は、上記のように５カ所に設けた矩形状の外側凹部38に限られず、例えば、４カ所などとしても良く、また、他の形状とすることもできる。
【００２５】
さらに、上記の実施の形態では、ソケット18として、キャップ部20などを有する防水ソケットについて説明したが、この構成に限られず、キャップ部などを備えない通常のソケットを用いることもできる。この構成は、例えば、空調装置の送風により冷却されやすい蛍光ランプの保温について有効である。
【００２６】
【発明の効果】
請求項１記載のランプ被覆装置によれば、キャップは、本体部の内周面部から突設した内側突部が、口金部より径寸法の大きい発光管の外周部に当接するため、キャップとランプとの摩擦抵抗よりもキャップとパイプとの摩擦抵抗が大きくなるとともに、キャップがランプに引っ掛かりにくくなり、キャップをパイプの所定位置に保持したまま、パイプ内にランプを挿入でき、ランプを脱着する作業性を向上できる。さらに、キャップは、弾性変形可能に形成されるとともに、内側突部に対応し本体部の厚さ方向に対して内側突部の反対側の外周面部の一部に位置し、本体部のランプの発光管が挿入される側の端部に向かって深さが深くなるように傾斜して内周側に凹設された外側凹部を備え、キャップとパイプとの間の一部に空間が形成されるため、ランプがキャップに当接した際に、キャップが容易に変形して摩擦抵抗を軽減し、ランプを脱着する作業性を向上できる。
【００２７】
請求項２記載の照明装置によれば、請求項１記載のランプ被覆装置を備えたため、ランプ被覆装置をランプに脱着する作業性を向上できる。
【図面の簡単な説明】
【図１】  本発明のランプ被覆装置の一実施の形態を示す照明装置の一部を切り欠いて拡大した側面図である。
【図２】  同上照明装置の一部を切り欠いた斜視図である。
【図３】  同上照明装置の一部を切り欠いた側面図である。
【図４】  同上キャップの斜視図である。
【符号の説明】
11    照明装置
12    器具本体
15    ランプ被覆装置
18    ソケット
22    発光管
23    口金部
31    パイプ
33    キャップ
35    本体部
35a   内周面部
35b   外周面部
36    内側突部
38    外側凹部
FL    ランプ
【図１】
0004206689.tif 000002
【図２】
0004206689.tif 000003
【図３】
0004206689.tif 000004
【図４】
0004206689.tif 000005